(57)【要約】【課題】使用時、ソフトは刺激が得られるようにすること。【解決手段】ピンの下部及び上板内側にクッションを設けること。【選択図】　　　　　　図１
2004024791.tif 000002
【特許請求の範囲】
【請求項１】
上板（１，１Ａ，１Ｂ）と下板（２，２Ａ，２Ｂ）で構成された内側に、ソフトな刺激が得られるためのピン（３，３Ａ，３Ｂ）を設けたことを特徴とするクッション付きマッサージ器。
【請求項２】
上板（１，１Ａ，１Ｂ）にクッション（６，６Ａ，６Ｂ，６Ｃ，６Ｄ，６Ｅ）と、下板（２，２Ａ，２Ｂ）に開口部（４，４Ａ，４Ｂ）を設け、この開口部（４，４Ａ，４Ｂ）に上下移動するピン（３，３Ａ，３Ｂ）を設けたことを特徴とする請求項１記載のクッション付きマッサージ器。
【請求項３】
上板（１）に空気抜き用の開口部（４Ｃ）、取手（７）、周囲に凸部（５）と内側上部にクッション（６）を設け下板（２）に空気抜き用の開口部（４Ｆ）とピン（３）用の開口部（４）を設ける。この開口部（４）に、上部に凸部（５）と下部先端にクッション（６Ｃ）を設けたピン（３）を上部より下部外方向に向って上下に移動できるよう設け、上板（１）周囲に設けた凸部（５Ｃ）と下部（２）周囲を固着する請求項２記載の行クッション付きマッサージ器。
【請求項４】
上板（１Ａ）に空気抜き用の開口部（４Ｄ）と内側上部にクッション（６Ａ）を設け、下板（２Ａ）に空気抜き用の開口部（４Ｇ）と下板（２Ａ）に底部より上部方向に末広がりの開口部（４Ａ）を設ける。この開口部（４Ａ）に、下部先端にクッション（６Ｄ）と、下部より上部方向に向って末広がりのピン（３Ａ）を上部より下部外方向に向って上下移動できるよう設けた請求項２記載のクッション付きマッサージ器。
【請求項５】
上板（１Ｂ）に空気抜き用の開口部（４Ｅ）と内側上部にクッション（６Ｂ）を設ける。下板（２Ｂ）に空気抜き用の開口部（４Ｈ）と上部より下部方向に凸型の開口部（４Ｂ）を設け、この開口部（４Ｂ）に、上部に凸部（５Ｂ）と下部先端部にクッション（６Ｅ）を設けたピン（３Ｂ）を、上部より下部方向に向って上下移動できるよう設けた請求項２記載のクッション付きマッサージ器。
【発明の詳細な説明】
【０００１】
【発明の属する技術分野】
本発明は、上板と下板より構成された内側上部にクッションと、内側より下部外方向に向って上下移動するピンを設けたクッション付きマッサージ器に関するものである。
【０００２】
【従来の技術】
従来は底部が上部方向凹曲線状を形成する弾性材料に直接ピンを設けている。
【０００３】
【発明が解決しようとする課題】
従来は、底部が上部方向凹曲線状に形成された弾性材料に直接ピンを設けているため、頭部に均等にピンが接触せず、かつ一部のピンが強く当り、ソフト刺激が得にくいという問題点があった。
【０００４】
【課題を解決するための手段】
上下板で構成された内側上部にクッションと、ピン先端にクッションを設けたピンが内側より下板の外側方向に向って上下移動するよう設け、上下板を周囲で固着したクッション付きマッサージ器である。また、ピン全体が下部方向凹曲線状に設けられているため、ピン全体が頭部に均等に接触しやすく、ピンが頭部に接触した時、二重に設けられたクッションの作用による刺激が吸収され、ソフトな刺激が得られ問題点を解決している。
【０００５】
【発明の実施の形態】
本発明は、上板と下板より構成された内側上部にクッションと、更に内側より下板外方向に向って上下移動するピン先端にクッションを設けたクッション付き頭部マッサージ器である。
【０００６】
そしてピンの上部にだけ、クッションを設けたり、クッションとしてコイルバネを設けてもよいが、生産性や作業性を考慮すれば内側上部全体に続けることが好ましい。
【０００７】
また、設けられるピン全体は下部方向に向ってピンの先端が横方向直線状でもよいが、ピン全体が頭部に均等に接触し易いように下部方向凹曲線状に設けることが好ましい。また、上板内側が密封状態に成り易くピンが上下移動しにくくならないよう上下板に空気抜き用の開口部を設けると良い。
【０００８】
さらに、ピンの先端部にクッションを設けることにより二重のクッションの作用の効果が期待でき、ソフトな刺激が得やすい。
【０００９】
また、ピン上部に設けられる凸部の形状は内側より外部に落下しないで円滑にバランス良く上下移動する形状であれば良く、限定するものではない。また、ピンの形状とピンを設ける開口部の形状は同形状でなくても良いが、ピンが上下移動する時、髪毛を巻きこまないよう同形状が好ましい。
【００１０】
そして、クッション付きマッサージ器全体の形状や設けるピンのサイズ及び数は、使用しやすい範囲で適宜に設けると良い。
【００１１】
上記のように構成されたクッション付き頭部マッサージ器を使用した時に、ピン全体が接触しやすく、又ピンが上下移動し、かつピン先端及び上板内側にクッションが設けられていることにより、ソフトな刺激を得ることができる。更に使用時クッションの作用により持つ手の疲労も従来より軽減されるクッション付き頭部マッサージ器である。
【００１２】
【実施例】
実施例に付いて図面を参照して説明すると図１においては、上板（１）に空気抜き用の開口部（４Ｃ）、取手（７）、周囲に凸部（５Ｃ）と、内側上部にクッション（６）を設ける。下板（２）に空気抜き用の開口部（４Ｆ）と、ピン（３）を設ける開口部（４）を設け、この開口部（４）に、上部に凸部（５）を下部先端にクッション（６Ｃ）を設けたピン（３）を上部より下部外側方向に向って上下に移動するよう設けている。そして上板（１）周囲に設けた凸部（５Ｃ）と下板（２）周囲を固着する。
【００１３】
図２の実施例に付いて説明すると、図２においては、図１の方向（Ｂ−Ａ）の底面図である。上板（１）に取手（７）、周囲に凸部（５Ｃ）を設け、下板（２）の開口部（４）にクッション（６Ｃ）を設けたピン（３）を設け、上板（１）周囲に設けた凸部（５Ｃ）と板下（２）周囲を固着している。
【００１４】
図３の実施例に付いて説明すると、上板（１）に空気抜き用の開口部（４Ｃ）と内側上部にクッション（６）を設ける。下板（２）に空気抜き用の開口部（４Ｆ）とピン（３）を設ける開口部（４）に、上部に凸部（５）と下部先端にクッション（６Ｃ）を設けたピン（３）を上部から下部外側方向に上下方向に移動するよう設けている。
【００１５】
図４の実施例に付いて説明すると、上板（１Ａ）に空気抜き用の開口部（４Ｄ）と内側上部にクッション（６Ａ）を設ける。下板（２Ａ）に空気抜き用の開口部（４Ｇ）と、下部より上部方向に向って末広がりに設けた開口部（４Ａ）に、上部方向に末広がりの凸部（５Ａ）と下部先端にクッション（６Ｄ）を設けたピン（３Ａ）を上部より下部外側方向に上下方向に移動して設けている。
【００１６】
図５の実施例に付いて説明すると、上板（１Ｂ）に空気抜き用の開口部（４Ｅ）、下板（２Ｂ）に空気抜き用の開口部（４Ｅ）と、上部より下部方向に凸型の開口部（４Ｂ）を設け、この開口部（４Ｂ）に、上部に凸部（５Ｂ）と下部先端にクッション（６Ｅ）を設けたピン（３Ｂ）を上部から下部外側方向に上下方向に移動するよう設け、上板（１Ｂ）と下板（２Ｂ）のピン（３Ｂ）の上部にクッション（６Ｂ）としてコイルバネを設けている。
【００１７】
【発明の効果】
本発明は、以上説明したような形態で実施され、以下に記載されるような効果を奏する。
【００１８】
ピンの下部先端及び上部にクッションを設けることにより、クッションの二重の作用によりソフトな刺激が得られる。
【００１９】
クッション付きマッサージ器の底部を下部方向凹曲線状に設けることにより、頭部に均等に接触し易くなる。
【００２０】
上下に動かして使用するため、クッションの作用により、反発力があり持つ手の疲労が軽減される。
【００２１】
原理が同じで形状やサイズを考慮する事により肩や首等にも使用出来る。
【００２２】
構造が簡単である合成樹脂等を用いることにより製造コストが安価である。
【図面の簡単な説明】
【図１】図１は、クッション付きマッサージ器の実施例を示す側面断面図である。
【図２】図２は、図１の方向（Ｂ−Ａ）を示す底面図である。
【図３】図３は、図１のピン設けた実施例の拡大断面図である。
【図４】図４は、ピンを設けた実施例の拡大断面図である。
【図５】図５は、ピンを設けた実施例の拡大断面図である。
【符号の説明】
上板　　　　１，１Ａ，１Ｂ
下板　　　　２，２Ａ，２Ｂ
ピン　　　　３，３Ａ，３Ｂ
開口部　　　４，４Ａ，４Ｂ，４Ｃ，４Ｄ，４Ｅ，４Ｆ，４Ｇ，４Ｈ
凸部　　　　５，５Ａ，５Ｂ
クッション　６，６Ａ，６Ｂ，６Ｃ，６Ｄ，６Ｅ
取手　　　　７
方向　　　　Ａ−Ｂ
【図１】
2004024791.tif 000003
【図２】
2004024791.tif 000004
【図３】
2004024791.tif 000005
【図４】
2004024791.tif 000006
【図５】
2004024791.tif 000007